(57)【要約】【課題】組み立て及び分解が容易且つ保管スペースを減少することができるフレキシブルブランキングユニットの提供。【解決手段】ブランキング下型を、十字ガイド溝が刻設され、間隔をもって配置された２本の縦フレームバー１４０及び１５０と、これら縦フレームバーと直交し、且つ間隔をもって配置された２本の横フレームバー１２０及び１３０と、前記縦フレームバー及び横フレームバーの上位置において縦横フレームバーを打ち抜き対象の製品の形状に合わせて固定する下型ベース部１１０と、前記縦フレームバー１４０及び１５０の十字ガイド溝１４０ａ及び１５０ａにネジ止めされ、最上端位置が横フレームバーの下面より上方へ移動する第１のガイド部４と、前記２本の横フレームバー１２０及び１３０の十字ガイド溝１２０ａ及び１３０ａにネジ止めされ、最上端位置が横フレームバーの下面より上方へ移動する第２のガイド部５とから構成したフレキシブルブランキングユニット。【選択図】  図１
2004148459.tif 000002
【特許請求の範囲】
【請求項１】
ブランキング上型及びブランキング下型から成り、該ブランキング上型とブランキング下型との間で紙類を打ち抜くことにより製品を打ち抜くフレキシブルブランキングユニットであって、前記ブランキング上型が、上部ベースから所定の形状に突出したプランジャーを備え、前記ブランキング下型が、長手方向に沿った十字ガイド溝が刻設され、間隔をもって配置された２本の縦フレームバーと、長手方向に沿った十字ガイド溝が刻設され、且つ前記縦フレームバーと交差する様に間隔をもって配置された２本の横フレームバーと、前記交差した縦フレームバー及び横フレームバーの上位置において前記縦横フレームバーを打ち抜き対象の製品の形状に合わせて固定する下型ベースとを備え、前記縦フレームバーと横フレームバーが、各フレームバーに刻設された十字ガイド溝の縦溝に挿入したナットと、該ナットと螺合するボルト間に配置された金具により結合されていることを特徴とするフレキシブルブランキングユニット。
【発明の詳細な説明】
【０００１】
【発明の属する技術分野】
本発明は、打ち抜き用に予め切れ目が入れられた紙類から製品を打ち抜くためのフレキシブルブランキングユニットに係り、特に製品の形状に合わせて組み立て分解が容易なランキング下型を含むフレキシブルブランキングユニットに関する。
【０００２】
【従来の技術】
一般に、例えば紙の箱を形成するための展開図相当の紙製品（本明細書では製品と呼ぶ）は、基本となる紙類に製品の外形状に沿って切れ目を入れる切目工程と、該切目工程により切れ目を入れられた紙類からカスとなる余分な部位を落とすカス取り工程と、該カス取り工程によりカスが取られた紙類から製品を打ち抜く打抜工程により製造される。
【０００３】
前記打抜工程は、製品形状に沿って突出したプランジャーを持つブランキング上型と、前記プランジャーの形状に沿って開口された開口部を持つブランギグ下型とを用い、該ブランキング下型に紙類を乗せた状態で、ブランキング上型の突出したプランジャーをブランキング下型の開口部に挿入することによって、紙類から製品を打ち抜くフレキシブルブランキングユニットが使用されている。
【０００４】
従来技術によるフレキシブルブランキングユニットの下型は、打ち抜き部分を構成する木型と、該木型を強度を持って保持するための金属製の保持部とから成り、この保持部を木型や製品の形状に合わせて溶接することにより、製造されていた。
尚、この打ち抜きを行うフレキシブルブランキングユニットが記載された文献としては、例えば特開２００２−１７８０６６号公報及び特開平１１−２６７７７０号公報が挙げられる。
【０００５】
【発明が解決しようとする課題】
前述の従来技術によるフレキシブルブランキングユニットの下型は、木型を強度を持って保持するための金属製の保持部が溶接により製造されていたため、その木型専用になり多種少量の製品の打ち抜きを行う装置としては高価となり、導入が困難であった。また、従来技術による保持部は、金属を溶接して形成するため、重量が大きく、下型のセッテングには少なくとも２人の作業員が必要となり、交換作業が繁雑であると言う不具合もあった。
【０００６】
更に従来技術によるフレキシブルブランキングユニットの下型は、多種のものを積層して保管する際、製品の落下を案内するためのガイド部が下面から突出して不安定となり、保管が困難であると共に保管スペースが大きくなると言う不具合もあった。
【０００７】
本発明の目的は、前述の不具合を除去することであり、製品の形状に応じて組み立て及び分解ができ、軽量で取扱が容易な下型を含むフレキシブルブランキングユニットを提供することである。
【０００８】
【課題を解決するための手段】
前記目的を達成するため本発明は、ブランキング上型及びブランキング下型から成り、該ブランキング上型とブランキング下型との間で紙類を打ち抜くことにより製品を打ち抜くフレキシブルブランキングユニットにおいて、前記ブランキング上型が、上部ベースから所定の形状に突出したプランジャーを備え、前記ブランキング下型が、長手方向に沿った十字ガイド溝が刻設され、間隔をもって配置された２本の縦フレームバーと、長手方向に沿った十字ガイド溝が刻設され、且つ前記縦フレームバーと交差する様に間隔をもって配置された２本の横フレームバーと、前記交差した縦フレームバー及び横フレームバーの上位置において前記縦横フレームバーを打ち抜き対象の製品の形状に合わせて固定する下型ベースとを備え、前記縦フレームバーと横フレームバーが、各フレームバーに刻設された十字ガイド溝の縦溝に挿入したナットと、該ナットと螺合するホルト間に配置された金具により結合されていることを特徴とする。
【０００９】
【発明の実施の形態】
以下、本発明の一実施形態によるフレキシブルブランキングユニットを図面を参照して説明する。図１は本発明の一実施形態によるフレキシブルブランキングユニットの全体概要を説明するための図、図２は本実施形態に適用されるブランキング上型を説明するための図、図３は本実施形態に適用されるブランキング下型の分解組み立て図、図４は本実施形態によるガイド部を説明するための図、図５は本実施形態によるフレキシブルブランキングユニットを組み立てる際の寸法関係を説明するための図である。
【００１０】
本実施形態によるフレキシブルブランキングユニットは、図１に示す如く、ブランキング上型２００と、ブランキング下型１００とにより構成され、ブランキング下型１００を固定し、該ブランキング下型１００の上に紙類３０を載せた状態でブランキング上型２００を上下型に設けた穴２０１ａ及び１１０ａにて案内しながら下降させることによって、上型２００のプランジャー用ゴム付きのプランジャー２０３（後述）を、下型１００の開口部１０１に挿入し、前工程により切れ目３０ａが入れられた紙類３０から製品３０ｂを打ち抜くものである。
【００１１】
前記ブランキング上型２００は、該上型２００を下方向から見た図２に示す如く、製品の形状に合わせて開口された開口部を持つ木製の上部ベース部２０１と、前記開口部上に配置され、製品の形状に合わせて形成されたプランジャー２０３と、該プランジャー２０３と製品との接触面に配置された弾性材料から成るプランジャー用ゴム２０４と、前記プランジャー２０３を上部ベース部２０１上に突出して支持するための支柱２０２と、前記支柱２０２に支持されたプランジャー２０３の平行度等を調整し且つ強固に固定するための固定用ネジ２０５とから構成されている。
【００１２】
前記ブランキング下型１００は、図３にその分解組み立て図を示す如く、前記上型２００のプランジャー用ゴム２０４付きのプランジャー２０３が挿入される開口部１０１が開口され、開口部間に溝１１１ａ付きのセンター部１１１を持つ木製の下部ベース部１１０と、該下部ベース部１１０の長手方向（横方向と呼ぶ）に沿って両端に配置され、内方に開口した断面が十字形状のガイド溝１２０ａ及び１３０ａが刻設された２本の横フレームバー１２０及び１３０と、該２本の横フレームバー１２０及び１３０の下方両端に配置され、内方に開口した断面が十字形状のガイド溝１４０ａ及び１５０ａが刻設された２本の縦フレームバー１４０及び１５０とを備える。尚、前記フレームバー１２０〜１５０は、軽量化のためにアルミニウム製が好ましい。
【００１３】
前記横フレームバー１２０及び１３０は、向かい合う方向に開口した十字ガイド溝１２０ａ及び１３０ａの両端にＬ字金具３がボルト３ａ及び四角ナット３ｂを用いて固定され、同様に中央位置において溝付きの平面金具８が前記同様にボルト及び四角ナットにより固定され、両フレームバー１２０及び１３０の前記平面金具８の溝に内側格子１１２が溶接され、横フレームバー１２０の図面手前側にはセンターラインガイド９がネジ止めされている。更に当該横フレームバー１２０及び１３０は、前記十字ガイド溝１２０ａ及び１３０ａに、各々２本のガイド部４がボルト及び四角ナットにより固定されている。
【００１４】
前記縦フレームバー１４０及び１５０は、向かい合う方向に開口した十字ガイド溝１４０ａ及び１５０ａの両端にＬ字金具７がボルト及び四角ナットを用いて固定され、両端近傍に各々２つのダブルＬ字金具６がボルト及び四角ナットにより固定され、前記十字ガイド溝１４０ａ及び１５０ａに各々２本のガイド部５がボルト及び四角ナットにより固定されている。尚、前記ダブルＬ字金具６は、Ｌ字金具を直交する様に２つ組み合わせた形状を成し、下端のＬ字金具が縦フレームバー１４０及び１５０の十字ガイド溝１４０ａ及び１５０ａにボルト及び四角ナットにより固定され、上端のＬ字金具が縦フレームバー１２０及び１３０の十字ガイド溝１２０ａ及び１３０ａにボルト及び四角ナットにより固定可能な様に形成されている。即ち、Ｌ字金具７等の金具が、縦フレームバー１４０及び１５０に刻切された十字ガイド溝１４０ａ及び１５０ａの縦溝に四角ナットをはめ込み、この四角ナットに金具の穴を介したボルトをネジ止めすることによって、各金具を縦フレームバー１４０及び１５０に強固に固定する様に構成されている。
【００１５】
このように本実施形態によるブランキング下型１００は、前述のフレームバー１２０〜１５０が、アルミニュウム等の軽量合金により製作され、長手方向に沿って断面が十字形且つ１端が一面に開口した十字ガイド溝を設け、該十字ガイド溝の縦溝に四角ナットを入れ、この四角ナットの穴に各金具を貫通したボルトを用いて締め付けることによって、組み立てられている。このため本実施形態によるブランキング下型１００は、前述の十字ガイド溝に沿った如何なる位置にも製品の形状に応じて各金具を取り付けることができる。尚、本実施形態においては、縦横のフレームバーが直交する様に組み立てる例を説明したが、これに限られるものではなく、製品の形状に応じて縦横フレームバーが菱形形状に交差する様に組み立てることも考えられる。
【００１６】
前記ガイド部４及び５の構造を図４を参照して説明する。例えば、ガイド部４は、図４（ｃ）に示す如く、フレームバーの十字ガイド溝に固定するための固定具４２と、該固定具４２に対して上下移動可能に取り付けられる移動体４１とに大別される。前記固定体４２は、前記ガイド溝に嵌合する様に左右方向に伸びる２つの係合体４２ｃと、該係合体４２ｃと水平方向の同位置に開口された穴（図示せず）に貫通されるボルト４２ｂと、該ボルト４２ｂと前記ガイド溝内でネジ止めされる四角ナット４２ｄと、前記ボルト４２ｂと比して下位置において突出する突起４２ａとを備える。
【００１７】
前記移動体４１は、上方に伸びる上端４１ｃと、前記突起４２ａが貫通し縦方向に伸びる長穴４１ｂと、前記ボルト４２ｂをネジ止めするための穴４１ａとが開口され、その両側が固定具４２の両側端を包み込む様に係合する様に湾曲されている。即ちガイド部４は、フレームバーのガイド溝に固定するためのボルト４２ｃ及び四角ナット４２及び突起４２ａを持つ固定体４２と、該固定体４２の両側端を包み込む様に係合し、上下移動位置を長穴４１ｂにより規制された移動体４１とを備え、移動体４１が固定体４２に対して上下位置が規制された範囲内で上下移動自在に構成されている。
【００１８】
従って、このガイド部４は、図４（ａ）及び（ｂ）に示す如く、固定体４２の２つの係合体４２を前記バー１３０のガイド溝１３０ａに嵌め込ませた状態でボルト４２ｂと溝１３０ａ内の四角ナット４２ｄを締めることによって横フレームバー１３０に強固に固定することができると共に、移動体４１が突起４２ａ及び長穴４１ｂにより規制された範囲内において上下移動自在に取り付けることができる。尚、図４（ａ）は移動体４１が上位置にあり、その上端４１ｃが下部ベース１１０の貫通孔１１０ａを貫通している状態を示し、同図（ｂ）は、移動体４１が下位置にある状態を示している。
【００１９】
このため本実施形態によるブランキング下型１００は、フレキシブルブランキングユニット設置時（宙づり時）には、ガイド部４及び５の移動体が下方向に伸びて落下する製品の搬送を案内して製品の整列した積層を行うことができると共に、例えば床に置いた際には前記移動体が上方向に位置して収納されるため、安定的に設置スペースを減少することができる。
【００２０】
この様に構成されたブランキング下型１００は、図３に示した各金具を取り付けた後、後述する寸法調整に応じて、下側の縦フレームバー１４０及び１５０を所定の間隔で位置決めを行ってから、両縦フレームバー１４０及び１５０上に同様に所定の間隔に設定した横フレームバー１２０及び１３０を間隔をもって位置決めし、前述のダブルＬ字金具６を用いて横及び縦フレームバー１２０〜１５０を一体的に結合し、更に横フレームバー１２０及び１３０に取り付けたＬ字金具３を用いて下型ベース部１１０をネジ止めすることによって三者を一体的に組み立てることができる。
【００２１】
次に前述の縦横フレームバー１２０〜１５０を組み立てる際の位置決め手順を図５を参照して説明する。図５は本実施形態による各フレームバーの位置決めを行うための寸法算出方法を説明するための図であり、１枚の紙類から予め切れ目が入れられた６つの製品を打ち抜く際の寸法の設定方法を説明する。
【００２２】
まず、前提として本打抜工程の前工程における横方向（横フレームバー１３０及び１２０の長手方向）の切刃間距離をａ１（＝９００ｍｍ）、同縦方向（縦フレームバー１４０及び１５０の長手方向）の切刃間距離をａ２（＝５００ｍｍ）、縦横フレームバーの各々の厚みをｅ２及びｅ１（＝各２５ｍｍ）、製品と製品間の間隔をｄ１及びｄ２（＝各０．３ｍｍ）、ガイド部４及び５の厚みをｃ１及びｃ２（＝各８ｍｍ）とした場合、横フレームバー１２０と１３０の外形間の距離Ｌ１と縦フレームバー１４０と１５０の外形間の距離Ｌ２は下記式によって算出することができる。尚、下記式における寸法ｃに加算する１ｍｍはマージンである。
【００２３】
【数１】
2004148459.tif 000003
【００２４】
【数２】
2004148459.tif 000004
【００２５】
本実施形態によるフレキシブルブランキングユニットによるブランキング下型１００は、前述の前工程における切刃やフレームバーの厚み等の前提条件となる寸法を予め測定しておき、前述の如き計算式を用いることにより、縦横フレームバーの外形間の距離を算出することができ、この算出結果により前記縦横フレームバーに基準位置の目印を付け、この目印に合わせて縦横フレームバー１２０〜１５０を前述の順序に従って組み立てることにより、容易に必要とするブランキング下型を作製することができる。
【００２６】
この様に本実施形態によるブランキングシステムは、ブランキング下型を、長手方向に沿って伸び且つ一面が開口された断面が十字形状の溝を持つ４本のアルミニウム製のフレームバーをダブルＬ字金具等の金具を用いて結合することによって、製品の形状に応じて容易に組み立て及び分解を自在に行うことができる。これにより少ない人数でブランキング下型をセッテングすることができる。
【００２７】
更に本実施形態によるブランキングシステムは、前記製品を案内するガイド部を上下方向に移動自在に構成したことによって、多種のものを積層して保管する際、製品の落下を案内するためのガイド部が下面から突出することがなく、保管スペースを減少することができる。
【００２８】
更に本実施形態によるブランキングシステムは、前述の計算式によって容易にフレームバーの位置決めを行うことができ、従って製品合わせた下型の組み立てを高精度に行うことができ、更にフレームバーを再利用することができる。
【００２９】
尚、本発明は次の実施形態の如く表すことができる。
＜実施形態１＞  ブランキング上型及びブランキング下型から成り、該ブランキング上型とブランキング下型との間で紙類を打ち抜くことにより製品を打ち抜くフレキシブルブランキングユニットであって、前記ブランキング上型が、上部ベースから所定の形状に突出したプランジャーを備え、前記ブランキング下型が、長手方向に沿った十字ガイド溝が刻設され、間隔をもって配置された２本の縦フレームバーと、長手方向に沿った十字ガイド溝が刻設され、且つ前記縦フレームバーと交差する様に間隔をもって配置された２本の横フレームバーと、前記交差した縦フレームバー及び横フレームバーの上位置において前記縦横フレームバーを打ち抜き対象の製品の形状に合わせて固定する下型ベースと、前記２本の縦フレームバーの十字ガイド溝にネジ止めされ、最下端位置が横フレームバーの下面から突出し、最上端位置が横フレームバーの下面より上方へ移動する第１のガイド部と、前記２本の横フレームバーの十字ガイド溝にネジ止めされ、最下端位置が横フレームバーの下面から突出し、最上端位置が横フレームバーの下面より上方へ移動する第２のガイド部と、前記縦横フレームバーを相互に固定するダブルＬ字金具とを備え、前記ダブルＬ字金具及びガイド部が、縦横フレームバー刻切された十字ガイド溝の縦溝に四角ナットを嵌め込み、前記四角ナットにダブルＬ字金具及びガイド部の穴を介したボルトをネジ止めすることによって、ダブルＬ字金具及びガイド部を縦横フレームバーに固定することにより組み立てられていることを特徴とするフレキシブルブランキングユニット。
【００３０】
【発明の効果】
以上述べたように本発明によるフレキシブルブランキングユニットは、ブランキング上型を、十字ガイド溝が刻設され、間隔をもって配置された２本の縦フレームバーと、該縦フレームバーと直交し、且つ間隔をもって配置された２本の横フレームバーと、前記直交した縦フレームバー及び横フレームバーの上位置において前記縦横フレームバーを打ち抜き対象の製品の形状に合わせて固定する下型ベースと、前記２本の縦フレームバーの十字ガイド溝にネジ止めされ、最下端位置が横フレームバーの下面から突出し、最上端位置が横フレームバーの下面より上方へ上下移動する第１のガイド部と、前記２本の横フレームバーの十字ガイド溝にネジ止めされ、最下端位置が横フレームバーの下面から突出し、最上端位置が横フレームバーの下面より上方へ上下移動する第２のガイド部とを備えることによって、組み立て及び分解が容易且つ保管スペースを減少することができる。
【図面の簡単な説明】
【図１】本発明の一実施形態によるフレキシブルブランキングユニットの全体概要を説明するための図。
【図２】本実施形態に適用されるブランキング上型を説明するための図。
【図３】本実施形態に適用されるブランキング下型の分解組み立て図。
【図４】本実施形態によるガイド部を説明するための図。
【図５】本実施形態によるフレキシブルブランキングユニットを組み立てる際の寸法関係を説明するための図。
【符号の説明】
１：ボルト、２：ナット、３：Ｌ字金具、４：ガイド部、５：ガイド部、６：ダブルＬ字金具、７：Ｌ字金具、３０：紙類、３０ａ：切れ目、３０ｂ：製品、４１：上下金具、４１ａ：穴、４１ｂ：長穴、４２：固定具、４２ａ：突起部、４２ｂ：ボルト、４２ｃ：係合部、４２ｄ：四角ナット、１００：ブランキング下型、１１０：下型ベース部、１１０ｂ：貫通孔、１１１：センター部、１１１ａ：溝、１１２：内側格子、１２０：横フレームバー、１３０：横フレームバー、１３０ａ：十字ガイド溝、１４０：横フレームバー、１４０ａ：十字ガイド溝、１５０：縦フレームバー、１５０ａ：十字ガイド溝、２０３：プランジャー。
【図１】
2004148459.tif 000005
【図２】
2004148459.tif 000006
【図３】
2004148459.tif 000007
【図４】
2004148459.tif 000008
【図５】
2004148459.tif 000009